(57)【要約】【課題】従来と比して、一段と早く、ユーザに放送受信装置の利用を開始させる。【解決手段】テレビジョン放送受信装置１は、テレビジョン放送受信装置１の利用開始前に行うチャンネルスキャン処理と並行して各種機能の設定を行うようにしたことにより、従来、チャンネルスキャン処理の前後に各種機能の設定を行っていた場合と比べて、チャンネルスキャン処理と各種機能の設定が両方完了するまでの時間を短縮することができる。かくして、従来と比して、一段と早く、ユーザにテレビジョン放送受信装置１の利用を開始させることができる。【選択図】図４
2010062996.tif 000002
【特許請求の範囲】
【請求項１】
受信対象の各放送チャンネルをスキャンして各放送チャンネルの受信可否を判別し、当該判別の結果、受信可能と判別した放送チャンネルを登録するチャンネルスキャン処理を実行するチャンネルスキャン処理実行部と、
各種機能の設定を行う機能設定部と、
上記チャンネルスキャン処理と上記各種機能の設定を並行して行うよう上記チャンネルスキャン処理実行部と上記機能設定部を制御する制御部と
を具える放送受信装置。
【請求項２】
上記機能設定部で行う設定は、
上記放送受信装置の利用開始前に設定を行うことで効果的な設定である
請求項１に記載の放送受信装置。
【請求項３】
上記機能設定部で行う設定は、
消費電力を調節する機能の設定である
請求項２に記載の放送受信装置。
【請求項４】
上記機能設定部で行う設定は、
上記放送受信装置に対して一定時間ユーザ操作が行われないときに自動的に上記放送受信装置の電源を切る動作を制御する機能の設定である
請求項２に記載の放送受信装置。
【請求項５】
上記機能設定部は、
複数の機能の設定の中から、ユーザ操作に応じて選択した設定を行う
請求項２に記載の放送受信装置。
【請求項６】
上記チャンネルスキャン処理実行部で実行される上記チャンネルスキャン処理の経過状況と、上記機能設定部で設定を行う上記機能の設定画面を、共に表示部に表示させる表示制御部
を具える請求項２に記載の放送受信装置。
【請求項７】
チャンネルスキャン処理実行部が実行する受信対象の各放送チャンネルをスキャンして各放送チャンネルの受信可否を判別し受信可能と判別した放送チャンネルを登録するチャンネルスキャン処理と、機能設定部が行う各種機能の設定とを、並行して行う
放送受信装置の設定方法。
【請求項８】
放送受信装置に、
チャンネルスキャン処理実行部が実行する受信対象の各放送チャンネルをスキャンして各放送チャンネルの受信可否を判別し受信可能と判別した放送チャンネルを登録するチャンネルスキャン処理と、機能設定部が行う各種機能の設定とを、並行して行うよう上記チャンネルスキャン処理実行部と上記機能設定部を制御部が制御するステップ
を実行させるための放送受信装置の設定プログラム。
【発明の詳細な説明】
【技術分野】
【０００１】
本発明は、放送受信装置、放送受信装置の設定方法及び放送受信装置の設定プログラムに関し、例えば、地上デジタル放送を受信可能な放送受信装置に適用して好適なものである。
【背景技術】
【０００２】
地上波のテレビジョン放送は、２０１１年までにアナログ放送からデジタル放送（地上デジタル放送などと呼ばれる）に移行することが決定している。ゆえに近年、発売されるテレビジョン放送受信装置の多くがアナログ放送にくわえて地上デジタル放送にも対応している。
【０００３】
ところで、地上デジタル放送は、地域ごとに放送チャンネルの割り当てが異なる。このため、ユーザは、テレビジョン放送受信装置の設置後、当該装置の利用を開始する前に、当該装置に対して、受信対象の各放送チャンネルをスキャンして受信可能な放送チャンネルを登録する処理を実行させる必要がある。（この処理をチャンネルスキャン処理とも呼ぶ。）
【０００４】
しかし、チャンネルスキャン処理は、地上デジタル放送の各放送チャンネルを順次スキャンして受信可能かどうかの判定を行うために、終了するまでには時間がかかってしまう。
【０００５】
そこで、時間のかかるチャンネルスキャン処理を行わずに、受信可能な放送チャンネルを登録する方法も利用されている。具体的には、あらかじめ地域別の放送チャンネル割り当て情報をテレビジョン放送受信装置内に保持し、ユーザに当該装置の設置地域を選択させ、保持した情報から、その地域の放送チャンネル割り当て情報を呼び出して登録するという方法である。
【０００６】
しかし、地上デジタル放送の普及が進むにつれて、地上デジタル放送を中継するための中継局が増加すると、放送チャンネルの割り当てが異なる地域が増えるため、地域別の放送チャンネル割り当て情報の作成が複雑になる。また、ユーザに選択させる地域の選択肢が増えることで、ユーザを混乱させてしまう可能性がある。従って、将来的には、上述した方法を利用することが困難になり、チャンネルスキャン処理を行うことが必須となると考えられる。
【０００７】
そこで、スキャンした放送チャンネルに対して受信可能かどうかの判定を行う時間を短縮することで、チャンネルスキャン処理に要する時間を短縮するようなテレビジョン放送受信装置が提案されている（例えば、特許文献１参照）。
【特許文献１】特開２００４−３６３８０６公報
【発明の開示】
【発明が解決しようとする課題】
【０００８】
ところで、近年発売されているテレビジョン放送受信装置の多くは、チャンネルスキャン処理の前後に、テレビジョン放送受信装置の各種機能の設定を行うようになっている。ゆえに、テレビジョン放送受信装置は、ユーザに利用を開始させる前に、チャンネルスキャン処理にくわえて、各種機能の設定にも時間を要するようになっている。
【０００９】
従って、テレビジョン放送受信装置は、上述した従来技術によってチャンネルスキャン処理に要する時間を短縮できたとしても、チャンネルスキャン処理にくわえて各種機能の設定にも時間を要するため、ユーザに当該装置の利用を開始させるまでに時間がかかってしまうという問題があった。
【００１０】
本発明は以上の点を考慮してなされたもので、チャンネルスキャン処理の前後に放送受信装置の各種機能の設定を行っていたときと比べて、一段と早く、ユーザに放送受信装置の利用を開始させ得る放送受信装置、放送受信装置の設定方法及び放送受信装置の設定プログラムを提案しようとするものである。
【課題を解決するための手段】
【００１１】
かかる課題を解決するため本発明においては、受信対象の各放送チャンネルをスキャンして各放送チャンネルの受信可否を判別し、当該判別の結果、受信可能と判別した放送チャンネルを登録するチャンネルスキャン処理を実行するチャンネルスキャン処理実行部と、各種機能の設定を行う機能設定部と、チャンネルスキャン処理と各種機能の設定を並行して行うようチャンネルスキャン処理実行部と機能設定部を制御する制御部とを設けるようにした。
【００１２】
こうすることで、チャンネルスキャン処理の前後に放送受信装置の各種機能の設定を行う場合と比べて、チャンネルスキャン処理と放送受信装置の各種機能の設定が両方完了するまでの時間を短縮することができる。
【発明の効果】
【００１３】
本発明によれば、チャンネルスキャン処理の前後に放送受信装置の各種機能の設定を行う場合と比べて、一段と早く、ユーザに放送受信装置の利用を開始させ得る放送受信装置、放送受信装置の設定方法及び放送受信装置の設定プログラムを実現することができる。
【発明を実施するための最良の形態】
【００１４】
以下、図面について、本発明の一実施の形態を詳述する。
【００１５】
（１）テレビジョン放送受信装置の回路構成
図１は、テレビジョン放送受信装置１の回路構成を示している。このテレビジョン放送受信装置１は、主として、デジタル放送（地上デジタル放送、衛星（ＢＳ：Broadcasting Satellite、ＣＳ：Communication Satellite）デジタル放送）及びアナログ放送（地上アナログ放送）の受信再生機能、及びＥＰＧ（Electric Program Guide）情報の取得機能を有している。
【００１６】
具体的にこのテレビジョン放送受信装置１は、Ｈｏｓｔマイクロコンピュータ２（以下、Ｈｏｓｔマイコン２とも呼ぶ）が図示しない内蔵メモリまたはバス３を介して接続された不揮発性メモリ４に記憶されているプログラムに従って各種処理を実行する。またこのＨｏｓｔマイコン２は、ＵＩ（User Interface）制御部５及び受光部６を介してリモートコントローラ（以下、リモコンとも呼ぶ）ＲＭより入力される赤外線信号（つまりリモコンＲＭの操作に応じた信号）をコマンドとして受け取る。そして、Ｈｏｓｔマイコン２は、このコマンドに応じて各部の動作を制御するようになされている。
【００１７】
実際上、テレビジョン放送受信装置１は、Ｈｏｓｔマイコン２の制御のもと、デジタル系アンテナ７を介して受信したデジタル放送信号（地上デジタル放送信号または衛星デジタル放送信号）をデジタルチューナ８に入力する。デジタルチューナ８は、Ｈｏｓｔマイコン２の制御のもと、デジタル放送信号から所定のチャンネル（例えばリモコンＲＭを介して指定されたチャンネル）の放送信号を抽出する。さらにデジタルチューナ８は、この抽出した放送信号に対して復調処理、デスクランブル処理などを施すことにより放送チャンネルデータを得て、この放送チャンネルデータをデマルチプレクサ９に送出する。
【００１８】
デマルチプレクサ９は、放送チャンネルデータから映像データと音声データを分離して、これらをＡＶ（Audio Video）デコーダ１０に送出する。ＡＶデコーダ１０は、映像データ及び音声データのそれぞれをデコードすることにより、映像信号及び音声信号を得て、映像信号をＧＵＩ（Graphical User Interface）重畳器１１を介してディスプレイ１２に送出する一方で、音声信号をスピーカ１３に送出する。このとき、ＧＵＩ重畳器１１は、映像信号に対してＯＳＤ（On Screen Display）などのグラフィック信号を重畳するようになされている。
【００１９】
また、デマルチプレクサ９は、放送チャンネルデータから、データ放送データを分離して、これを不揮発性メモリ４に記憶する。Ｈｏｓｔマイコン２は、不揮発性メモリ４に記憶したデータ放送データをもとにデータ放送画面データを生成する。Ｈｏｓｔマイコン２は、バス３を介してデータ放送画面データをＲＡＭ２１に一時保存した後、ＲＡＭ２１からＧＵＩ重畳器１１に送出する。ＧＵＩ重畳器１１は、データ放送画面データをもとにデータ放送画面信号を生成して、これをディスプレイ１２に送出する。
【００２０】
この結果、テレビジョン放送受信装置１のディスプレイ１２からは、デジタル放送の番組映像やデータ放送画面が出力され、スピーカ１３からは番組音声が出力される。このようにして、テレビジョン放送受信装置１は、デジタル放送を受信し、その番組映像及び番組音声を再生したり、データ放送画面を表示したりするようになされている。
【００２１】
また、テレビジョン放送受信装置１は、Ｈｏｓｔマイコン２の制御のもと、アナログ系アンテナ１４を介して受信したアナログ放送信号をアナログチューナ１５に入力する。アナログチューナ１５は、Ｈｏｓｔマイコン２の制御のもと、アナログ放送信号から所定のチャンネルの放送信号を抽出して、この抽出した放送信号を復調器１６に送出する。復調器１６は、放送信号に対して所定の復調処理を施すことにより復調信号を得る。さらに復調器１６は、この復調信号から映像信号と音声信号とを分離して、ＧＵＩ重畳器１１を介して映像信号をディスプレイ１２に送出する一方で、音声信号をスピーカ１３に送出する。このとき、ＧＵＩ重畳器１１は、映像信号に対してＯＳＤなどのグラフィック信号を重畳するようになされている。
【００２２】
この結果、テレビジョン放送受信装置１のディスプレイ１２からは、アナログ放送の番組映像が出力され、スピーカ１３からは番組音声が出力される。このようにして、テレビジョン放送受信装置１は、アナログ放送を受信して、その番組映像及び番組音声を再生するようになされている。
【００２３】
さらに、テレビジョン放送受信装置１は、Ｈｏｓｔマイコン２の制御のもと、デマルチプレクサ９により放送チャンネルデータからデジタル放送のＥＰＧ情報を分離して、これを不揮発性メモリ４に記憶する。
【００２４】
さらに、テレビジョン放送受信装置１は、Ｈｏｓｔマイコン２の制御のもと、復調器１６により復調された復調信号をＶＢＩ（Vertical Blanking Interval）スライサ１７に送出する。ＶＢＩスライサ１７は、復調信号の特定ラインを切り出して、これをＥＰＧデコーダ１８に送出する。ＥＰＧデコーダ１８は、復調信号の特定ラインをデコードすることによりアナログ放送のＥＰＧ情報を得て、これを不揮発性メモリ４に記憶する。
【００２５】
また、テレビジョン放送受信装置１は、Ｈｏｓｔマイコン２の制御のもと、ＥＰＧ情報配信サーバ（図示せず）から送信されるアナログ放送のＥＰＧ情報を、ネットワーク端子１９を介して受信する。そして、Ｈｏｓｔマイコン２は、この受信したＥＰＧ情報をネットワークコントローラ２０及びバス３を介して不揮発性メモリ４に記憶する。
【００２６】
このようにして、テレビジョン放送受信装置１は、ＥＰＧ情報を取得するようになされている。ちなみに、このＥＰＧ情報には、例えば、放送予定の番組の番組情報として、放送局名、チャンネル番号、放送日時、番組名、ジャンル、番組概要、番組詳細、出演者などが含まれている。
【００２７】
さらに、テレビジョン放送受信装置１は、リモコンＲＭの操作に応じて、Ｈｏｓｔマイコン２が、不揮発性メモリ４に記憶したＥＰＧ情報をもとに電子番組表のデータを生成する。Ｈｏｓｔマイコン２は、バス３を介してこのデータをＲＡＭ２１に一時保存した後、ＲＡＭ２１からＧＵＩ重畳器１１に送出する。ＧＵＩ重畳器１１は、この電子番組表のデータをもとに画面信号を生成して、これをディスプレイ１２に送出する。この結果、テレビジョン放送受信装置１のディスプレイ１２に、電子番組表の画面が表示される。
【００２８】
このようにして、テレビジョン放送受信装置１は、デジタル放送（地上デジタル放送、衛星デジタル放送）及びアナログ放送（地上アナログ放送）の受信再生機能、及びＥＰＧ情報の取得機能を実現している。
【００２９】
さらに、テレビジョン放送受信装置１は、ユーザ操作に応じて、Ｈｏｓｔマイコン２が、不揮発性メモリ４から、テレビジョン放送受信装置１の各種設定及び各種処理を行うための画面（これをセットアップ画面とも呼ぶ）のデータを読み出す。Ｈｏｓｔマイコン２は、バス３を介してこのデータをＲＡＭ２１に一時保存した後、ＲＡＭ２１からＧＵＩ重畳器１１に送出する。ＧＵＩ重畳器１１は、このセットアップ画面のデータをもとに画面信号を生成して、これをディスプレイ１２に送出する。この結果、テレビジョン放送受信装置１のディスプレイ１２に、セットアップ画面が表示される。
【００３０】
Ｈｏｓｔマイコン２は、ユーザ操作に応じて、このセットアップ画面で各種設定を行った場合、その設定情報を不揮発性メモリ４に記憶する。こうすることで、テレビジョン放送受信装置１では、以降、記憶した設定情報に基づいて、各種処理が実行される。またＨｏｓｔマイコン２は、このセットアップ画面を介して各種処理の実行が指示されると、その指示に応じて、各種処理を実行するようにもなされている。ちなみに、セットアップ画面で行うテレビジョン放送受信装置１の各種設定としては、例えば、消費電力の設定など各種機能の設定がある。また、セットアップ画面で行うテレビジョン放送受信装置１の各種処理としては、例えば、チャンネルスキャン処理などがある。
【００３１】
このようにして、テレビジョン放送受信装置１は、各種設定及び各種処理を、ディスプレイ１２に表示したセットアップ画面を介して行うことができるようになされている。
【００３２】
（２）初期設定
上述したように、テレビジョン放送受信装置１では、アナログ放送及びデジタル放送の受信及び再生が可能である。しかし、テレビジョン放送受信装置１が、実際にアナログ放送及びデジタル放送を受信して再生するためには、当該装置の設置後、その利用が開始される前に、各種設定（この設定を初期設定とも呼ぶ）を行う必要がある。ここでは、この初期設定について詳しく説明する。
【００３３】
テレビジョン放送受信装置１のＨｏｓｔマイコン２は、例えば、テレビジョン放送受信装置１の初期設定がまだ行われていない状態で電源が投入されたことを認識すると、ディスプレイ１２に初期設定開始画面（図示せず）を表示させる。
【００３４】
この画面では、ユーザに対して、これからテレビジョン放送受信装置１が初期設定を開始する旨を案内し、ユーザがその旨を確認したら次の画面に進むためにリモコンＲＭの決定ボタン（図示せず）を押下するよう案内する。尚、初期設定開始画面やこれから説明する初期設定中に表示される画面は全てセットアップ画面の一種である。従って、上述したように、Ｈｏｓｔマイコン２が各部を制御して、各セットアップ画面を表示させるようになっている。
【００３５】
そして、Ｈｏｓｔマイコン２は、ユーザ操作により、リモコンＲＭの決定ボタンが押下されたことを認識すると、ディスプレイ１２にアナログ放送のチャンネル登録開始画面（図示せず）を表示させる。
【００３６】
この画面では、ユーザに対して、アナログ放送の視聴を行う場合は「アナログ放送のチャンネル登録を行う」を選択し、行わない場合は「アナログ放送のチャンネル登録を行わない」を選択するよう案内する。具体的に、例えば、「アナログ放送のチャンネル登録を行う」を選択するとは、画面上の「アナログ放送のチャンネル登録を行う」表示領域（図示せず）がカーソル（図示せず）で選択された状態で、リモコンＲＭの決定ボタンをユーザが押下することを言う。このようにセットアップ画面では、リモコンＲＭの操作によりカーソルを移動させて各画面の各表示領域を選択させ、ユーザにリモコンＲＭの決定ボタンを押下させることにより、その表示領域の内容を選択できるようになっている。
【００３７】
そして、Ｈｏｓｔマイコン２は、リモコンＲＭの操作を介して「アナログ放送のチャンネル登録を行う」が選択されたことを認識すると、次に、ディスプレイ１２にアナログ放送のチャンネル登録方法選択画面（図示せず）を表示させる。
【００３８】
この画面では、ユーザに対して、アナログ放送のチャンネル登録を「スキャン」または「オート」のどちらの方法で行うかを選択するよう案内する。「スキャン」とは、チャンネルスキャン処理を行うことにより、受信可能な放送チャンネルを登録する方法である。また、「オート」とは、地域別の放送チャンネル割り当て情報を当該装置内に保持し、ユーザに当該装置の設置地域を選択させ、保持した情報から、その地域の放送チャンネル割り当て情報を呼び出すことにより、受信可能な放送チャンネルを登録するという方法である。尚、この方法で、受信可能な放送チャンネルの登録を行うことを、オート処理とも呼ぶ。オート処理は、チャンネルスキャン処理を行わないため、短時間で受信可能な放送チャンネルの登録を行うことができる。しかし、例えば各中継局における中継地域の越境部など、実際にチャンネルスキャン処理を行わなければどの放送チャンネルが受信可能かわからない地域が存在する。そのような地域ではオート処理を利用することができず、チャンネルスキャン処理を行うことが必須となる。
【００３９】
そして、Ｈｏｓｔマイコン２は、リモコンＲＭの操作を介して「スキャン」が選択されたことを認識した場合、ディスプレイ１２に、チャンネルスキャン処理画面（図示せず）を表示させると共に、各部を制御し、アナログ放送のチャンネルスキャン処理を実行する。
【００４０】
ここで、具体的に、アナログ放送のチャンネルスキャン処理について説明する。まず、Ｈｏｓｔマイコン２は、アナログチューナ１５に、各放送チャンネルをスキャンさせる。アナログチューナ１５は、スキャンにより各放送チャンネルの受信強度を得て、この受信強度が所定値以上の放送チャンネルをこの地域で受信可能な放送チャンネルと判別して、その旨をＨｏｓｔマイコン２に通知する。Ｈｏｓｔマイコン２は、アナログチューナ１５により受信可能であると判別された放送チャンネルを、受信可能な放送チャンネルとして、不揮発性メモリ４に構築されたアナログ放送チャンネルデータベースに登録する。
【００４１】
一方、Ｈｏｓｔマイコン２は、アナログ放送のチャンネル登録方法選択画面において、リモコンＲＭの操作を介して「オート」が選択されたことを認識した場合、各部を制御し、アナログ放送のオート処理を実行する。
【００４２】
ここで、具体的にアナログ放送のオート処理について説明する。まず、Ｈｏｓｔマイコン２は、ディスプレイ１２にアナログ放送の地域設定画面（図示せず）を表示させる。この画面では、アナログ放送のチャンネル登録のために、ユーザに対して、テレビジョン放送受信装置１の設置地域を選択するよう案内する。Ｈｏｓｔマイコン２は、リモコンＲＭの操作を介して、当該装置の設置地域が選択されたことを認識すると、その地域をアナログ放送の地域として設定する。そして、Ｈｏｓｔマイコン２は、あらかじめ不揮発性メモリ４に保持されている地域別放送チャンネル割り当て情報から、アナログ放送の地域として設定された地域の放送チャンネル割り当て情報を呼び出す。そして、Ｈｏｓｔマイコン２は、呼び出した放送チャンネル割り当て情報を、受信可能な放送チャンネルとして、不揮発性メモリ４に構築されたアナログ放送チャンネルデータベースに登録する。
【００４３】
そして、Ｈｏｓｔマイコン２は、チャンネルスキャン処理またはオート処理を完了すると、ディスプレイ１２に、アナログ放送チャンネルデータベースに登録された放送チャンネルを表示するアナログ放送のチャンネル登録結果画面（図示せず）を表示させる。
【００４４】
この画面では、ユーザに対して、視聴可能なチャンネルとして登録されたアナログ放送のチャンネルを案内し、ユーザがその旨を確認したらリモコンＲＭの決定ボタンを押下するよう案内する。
【００４５】
このようにして、テレビジョン放送受信装置１は、アナログ放送のチャンネル登録を行うようになっている。そして、この結果、テレビジョン放送受信装置１では、以降、アナログ放送チャンネルデータベースに登録された放送チャンネルの受信及び再生が可能となる。つまり、アナログ放送の視聴が可能となる。
【００４６】
次に、Ｈｏｓｔマイコン２は、ディスプレイ１２にデジタル放送のチャンネル登録開始画面（図示せず）を表示させる。この画面では、ユーザに対して、ユーザがデジタル放送の視聴を行う場合は「デジタル放送を視聴する」を選択し、行わない場合は「デジタル放送を視聴しない」を選択するよう案内する。
【００４７】
そして、Ｈｏｓｔマイコン２は、リモコンＲＭの操作を介して「デジタル放送を視聴する」が選択されたことを認識すると、次に、ディスプレイ１２にデジタル放送の地域設定画面３０を表示させる。
【００４８】
このとき表示される地域設定画面３０を図２に示す。この地域設定画面３０では、デジタル放送のチャンネル登録のために、ユーザに対して、テレビジョン放送受信装置１の設置地域（地方及び県域）を選択するよう案内する。Ｈｏｓｔマイコン２は、リモコンＲＭの操作を介して当該装置の設置地域が選択されたことを認識すると、その地域をデジタル放送の地域として設定し、その情報をＲＡＭ２１に書き込んでいったん記憶させる。
【００４９】
そして、Ｈｏｓｔマイコン２は、ディスプレイ１２に地上デジタル放送のチャンネル登録開始画面（図示せず）を表示させる。この画面では、ユーザに対して、地上デジタル放送の視聴を行う場合は「地上デジタル放送のチャンネル登録を行う」を選択し、行わない場合は「地上デジタル放送のチャンネル登録を行わない」を選択するよう案内する。
【００５０】
そして、Ｈｏｓｔマイコン２は、リモコンＲＭの操作を介して「地上デジタル放送のチャンネル登録を行う」が選択されたことを認識すると、次に、デジタル放送の地域として設定された地域が「スキャン必須地域」であるかどうかを判別する。「スキャン必須地域」とは、例えば地上デジタル放送の各中継局における中継地域の越境部など、チャンネルスキャン処理を行わなければ受信可能な地上デジタル放送のチャンネルを特定することができず、「オート」の手法を利用することができない地域のことである。Ｈｏｓｔマイコン２は、デジタル放送の地域として設定された地域の情報をＲＡＭ２１から呼び出し、あらかじめ不揮発性メモリ４に保持された「スキャン必須地域」の情報と比較して、その地域が「スキャン必須地域」であるかどうかを判別する。
【００５１】
そして、Ｈｏｓｔマイコン２は、デジタル放送の地域として設定された地域が「スキャン必須地域」ではないと判別した場合、ディスプレイ１２に地上デジタル放送のチャンネル登録方法選択画面（図示せず）を表示させる。この画面では、ユーザに対して、地上デジタル放送のチャンネル登録を「スキャン」または「オート」のどちらの方法で行うかを選択するよう案内する。
【００５２】
そして、Ｈｏｓｔマイコン２は、「スキャン」が選択されたことを認識した場合、またはデジタル放送の地域として設定された地域が「スキャン必須地域」であると判別した場合、ディスプレイ１２にチャンネルスキャン開始画面３１を表示させる。
【００５３】
このとき表示されるチャンネルスキャン開始画面３１を図３に示す。このチャンネルスキャン開始画面３１には、これからチャンネルスキャン処理を開始する旨が表示されるチャンネルスキャン開始案内表示領域３２と、チャンネルスキャン処理と同時に機能設定を開始する旨が表示される機能設定開始案内表示領域３３とが設けられている。機能設定開始案内表示領域３３では、チャンネルスキャン処理には数分かかる場合があるためその間にテレビジョン放送受信装置１の各種機能の設定を行う旨を案内する。
【００５４】
そして、Ｈｏｓｔマイコン２は、チャンネルスキャン開始画面３１を所定時間（例えば数秒程度）表示させた後、チャンネルスキャン処理を開始するとともに、ユーザに消費電力の設定を選択させる消費電力設定画面４１を表示させ、消費電力の設定を開始する。このように、テレビジョン放送受信装置１は、チャンネルスキャン処理をバックグラウンドで実行しながら、同時に各種機能の設定を行うようになっている。
【００５５】
ここで、具体的に、地上デジタル放送のチャンネルスキャン処理について説明する。まず、Ｈｏｓｔマイコン２は、デジタルチューナ８に、各放送チャンネルをスキャンさせる。デジタルチューナ８は、スキャンにより各放送チャンネルの受信強度を得て、この受信強度が所定値以上の放送チャンネルをこの地域で受信可能な放送チャンネルと判別して、その旨をＨｏｓｔマイコン２に通知する。Ｈｏｓｔマイコン２は、デジタルチューナ８により受信可能であると判別された放送チャンネルを、受信可能な放送チャンネルとして、不揮発性メモリ４に構築されたデジタル放送チャンネルデータベースに登録する。
【００５６】
一方、チャンネルスキャン処理を開始するとともに表示される消費電力設定画面４１を図４に示す。この消費電力設定画面４１には、チャンネルスキャン処理の経過状況が表示されるチャンネルスキャン処理経過表示領域４２が設けられている。これにより、テレビジョン放送受信装置１は、ユーザにチャンネルスキャン処理の経過状況を確認させながら、消費電力の設定を選択させることができる。また、消費電力設定画面４１には、機能設定表示領域４３が設けられ、その中に、ユーザに対する操作説明が表示される操作説明表示領域４３Ａと、設定の選択肢が表示される設定内容表示領域４３Ｂが設けられている。
【００５７】
このとき、操作説明表示領域４３Ａには、ユーザに対する操作説明として、消費電力の設定を「標準」または「低減」のどちらにするか選択するよう案内する旨が表示されている。「標準」とは、テレビジョン放送受信装置１の工場出荷時に選択されている設定である。また、「低減」とは、ディスプレイ１２の画面の明るさを抑える代わりに、「標準」に設定されているときよりもテレビジョン放送受信装置１の消費電力を低減することができる設定である。
【００５８】
さらに、設定内容表示領域４３Ｂには、消費電力の設定の選択肢である「標準」と「低減」が表示され、ユーザにリモコンＲＭの操作を介してどちらの設定にするか選択させることができるようになっている。
【００５９】
そして、Ｈｏｓｔマイコン２は、リモコンＲＭの操作を介して消費電力の設定が「標準」または「低減」のどちらかに選択されたことを認識すると、その設定情報を不揮発性メモリ４に記憶し、消費電力の設定を完了する。こうすることで、テレビジョン放送受信装置１は、以降、記憶した設定情報に基づいて、消費電力を調節することができる。
【００６０】
消費電力の設定が完了すると、次に、Ｈｏｓｔマイコン２は、ディスプレイ１２に、ユーザに無操作電源オフの設定を選択させる無操作電源オフ設定画面５１を表示させる。
【００６１】
このとき表示される無操作電源オフ設定画面５１を図５に示す。この無操作電源オフ設定画面５１には、チャンネルスキャン処理の経過状況が表示されるチャンネルスキャン処理経過表示領域５２が設けられている。これにより、テレビジョン放送受信装置１は、ユーザにチャンネルスキャン処理の経過状況を確認させながら、無操作電源オフの設定を選択させることができる。また、無操作電源オフ設定画面５１には、機能設定表示領域５３が設けられ、その中に、ユーザに対する操作説明が表示される操作説明表示領域５３Ａと、設定の選択肢が表示される設定内容表示領域５３Ｂが設けられている。
【００６２】
このとき、操作説明表示領域５３Ａには、ユーザに対する操作説明として、無操作電源オフの設定を「入」または「切」のどちらにするか選択するよう案内する旨が表示されている。「入」とは、所定時間以上、テレビジョン放送受信装置１の操作がされないときに、自動的にテレビジョン放送受信装置１の電源を切るようにする設定である。（この動作を無操作電源オフ動作とも呼ぶ。）従って、「入」に設定しておくことで、テレビジョン放送受信装置１の操作がされないときに消費される電力を削減することができる。また、「切」とは、テレビジョン放送受信装置１の工場出荷時に設定されている設定で、無操作電源オフ動作を行わないようにする設定である。
【００６３】
さらに、設定内容表示領域５３Ｂには、無操作電源オフの設定の選択肢である「入」と「切」が表示されており、ユーザにリモコンＲＭの操作を介してどちらの設定にするか選択させることができる。
【００６４】
そして、Ｈｏｓｔマイコン２は、リモコンＲＭの操作を介して無操作電源オフの設定が「入」または「切」のどちらかに選択されたことを認識すると、その設定情報を不揮発性メモリ４に記憶し、無操作電源オフの設定を完了する。こうすることで、テレビジョン放送受信装置１は、以降、記憶した設定情報に基づいて、無操作電源オフ動作を制御することができる。
【００６５】
このように、テレビジョン放送受信装置１は、テレビジョン放送受信装置１の消費電力の設定及び無操作電源オフの設定を完了する。
【００６６】
また、上述したように本実施の形態では、チャンネルスキャン処理と並行して、例えば消費電力の設定及び無操作電源オフの設定を連続して行うようにしたが、これらの設定以外にも、当該装置の利用開始前に設定を行うことで効果的な設定を行うようにしてもよい。
【００６７】
そして、消費電力の設定及び無操作電源オフの設定が完了しても、まだチャンネルスキャン処理が完了していないとき、Ｈｏｓｔマイコン２は、ディスプレイ１２に、チャンネルスキャン処理中であることを示すチャンネルスキャン処理画面６１を表示させる。
【００６８】
このとき表示されるチャンネルスキャン処理画面６１を図６に示す。このチャンネルスキャン処理画面６１には、チャンネルスキャン処理の経過状況が表示されるチャンネルスキャン処理経過表示領域６２と、ユーザに対する操作説明が表示される操作説明表示領域６３とが設けられている。このとき、操作説明表示領域６３では、テレビジョン放送受信装置１の各種機能の設定が完了した旨と、チャンネルスキャン処理が完了するまでユーザに待機してもらう旨を案内する。
【００６９】
そして、Ｈｏｓｔマイコン２は、チャンネルスキャン処理が完了すると、ディスプレイ１２に、デジタル放送チャンネルデータベースに登録された放送チャンネルを表示する地上デジタル放送のチャンネル登録結果画面７１を表示させる。
【００７０】
一方、消費電力の設定及び無操作電源オフの設定が完了する前にチャンネルスキャン処理が完了していたときは、Ｈｏｓｔマイコン２は、当該設定が完了するとすぐに、ディスプレイ１２に、地上デジタル放送のチャンネル登録結果画面７１を表示させる。
【００７１】
このとき表示される地上デジタル放送のチャンネル登録結果画面７１を図７に示す。このチャンネル登録結果画面７１には、ユーザに対する操作説明が表示される操作説明表示領域７２と、視聴可能なチャンネルとして登録された放送チャンネルが表示される登録結果表示領域７３が設けられている。このとき、操作説明表示領域７２では、地上デジタル放送のチャンネル登録が完了した旨を案内し、また、ユーザがその旨を確認したらリモコンＲＭの決定ボタンを押下するよう案内する。
【００７２】
このように、テレビジョン放送受信装置１は、地上デジタル放送のチャンネルスキャン処理と並行して消費電力の設定及び無操作電源オフの設定を行う。
【００７３】
従って、テレビジョン放送受信装置１は、例えば、チャンネルスキャン処理の前後に消費電力の設定及び無操作電源オフの設定を行う場合に比べ、当該設定とチャンネルスキャン処理の両方が完了するまでの時間を短縮することができる。
【００７４】
ところで、Ｈｏｓｔマイコン２は、地上デジタル放送のチャンネル登録方法選択画面において、リモコンＲＭの操作を介して、「オート」が選択されたことを認識した場合、各部を制御し、地上デジタル放送のオート処理を実行する。
【００７５】
ここで、具体的に地上デジタル放送のオート処理について説明する。まず、Ｈｏｓｔマイコン２は、ＲＡＭ２１からデジタル放送の地域として設定された地域を呼び出す。そして、Ｈｏｓｔマイコン２は、あらかじめ不揮発性メモリ４に保持されている地域別放送チャンネル割り当て情報から、その地域の放送チャンネル割り当て情報を呼び出し、受信可能な放送チャンネルとして、デジタル放送チャンネルデータベースに登録する。
【００７６】
そして、Ｈｏｓｔマイコン２は、地上デジタル放送のオート処理が完了すると、ディスプレイ１２に、デジタル放送チャンネルデータベースに登録された放送チャンネルを表示する地上デジタル放送のチャンネル登録結果画面７１を表示させる。
【００７７】
このように地上デジタル放送のオート処理を行った場合、テレビジョン放送受信装置１はオート処理が完了した後に消費電力の設定及び無操作電源オフの設定を行う。オート処理を行った場合はチャンネルスキャン処理を行わないため、テレビジョン放送受信装置１は、地上デジタル放送のチャンネル登録を短時間で完了することができる。従って、オート処理を行った場合、テレビジョン放送受信装置１は、チャンネルスキャン処理の実行中に並行して当該設定を行った場合とほぼ同じ時間で、地上デジタル放送のチャンネル登録と当該設定を完了することができる。
【００７８】
従って、Ｈｏｓｔマイコン２は、地上デジタル放送のチャンネル登録結果画面７１において、ユーザ操作によりリモコンＲＭの決定ボタンが押下されたことを認識すると、消費電力設定画面（図示せず）を表示させる。このとき表示される消費電力設定画面は、消費電力設定画面４１からチャンネルスキャン処理経過表示領域４２を除いた構成となっており、消費電力設定画面４１と同様に消費電力の設定を行うことができるようになっている。そして、Ｈｏｓｔマイコン２は、リモコンＲＭの操作に応じて、消費電力の設定を行う。
【００７９】
消費電力の設定が完了すると、次に、Ｈｏｓｔマイコン２は、無操作電源オフ設定画面（図示せず）を表示させる。このとき表示される無操作電源オフ設定画面は、無操作電源オフ設定画面５１からチャンネルスキャン処理経過表示領域５２を除いた構成となっており、無操作電源オフ設定画面５１と同様に無操作電源オフの設定を行うことができるようになっている。そして、Ｈｏｓｔマイコン２は、リモコンＲＭの操作に応じて、無操作電源オフの設定を行う。
【００８０】
このように、テレビジョン放送受信装置１は、地上デジタル放送のチャンネル登録と、消費電力の設定及び無操作電源オフの設定を行うようになっている。
【００８１】
この結果、テレビジョン放送受信装置１では、以降、デジタル放送チャンネルデータベースに登録された放送チャンネルの受信及び再生が可能となる。つまり、地上デジタル放送の視聴が可能となる。
【００８２】
また、テレビジョン放送受信装置１では、以降、ユーザ操作により選択された設定に基づいて消費電力と無操作電源オフ動作を制御することができるようになる。
【００８３】
そして、Ｈｏｓｔマイコン２は、地上デジタル放送のチャンネル登録とテレビジョン放送受信装置１の消費電力の設定及び無操作電源オフの設定が完了すると、ディスプレイ１２に衛星アンテナレベル確認画面（図示せず）を表示させる。
【００８４】
この画面では、ユーザに対して、衛星デジタル放送のアンテナレベルが受信可能なレベルに達しているかどうかを案内し、ユーザがその旨を確認したらリモコンＲＭの右ボタン（図示せず）を押下するよう案内する。こうすることで、テレビジョン放送受信装置１は、初期設定の時点において、衛星デジタル放送の視聴が可能かどうかをユーザに案内できる。
【００８５】
そして、Ｈｏｓｔマイコン２は、衛星アンテナレベル確認画面において、ユーザ操作によりリモコンＲＭの右ボタンが押下されたことを認識すると、ディスプレイ１２にデータ放送の郵便番号設定画面（図示せず）を表示させる。この画面では、データ放送時に地域限定情報を表示させるために、ユーザに対して、テレビジョン放送受信装置１の設置地域の郵便番号を入力するよう案内する。そして、Ｈｏｓｔマイコン２は、ユーザ操作によりリモコンＲＭの数字ボタン（図示せず）を介して当該装置の設置地域の郵便番号が入力されると、その郵便番号をデータ放送の地域を特定する情報として設定し、その設定情報を不揮発性メモリ４に記憶する。こうすることで、テレビジョン放送受信装置１は、データ放送時に、当該装置の設置地域における地域限定情報を表示させることができるようになる。
【００８６】
そして、Ｈｏｓｔマイコン２は、データ放送の郵便番号設定が完了すると、ディスプレイ１２に初期設定完了画面（図示せず）を表示させる。この画面では、ユーザに対して、初期設定が全て完了した旨を案内し、ユーザがその旨を確認したら、リモコンＲＭの決定ボタンを押下するよう案内する。そして、Ｈｏｓｔマイコン２は、ユーザ操作により、リモコンＲＭの決定ボタンが押下されたことを認識すると、初期設定を完了する。
【００８７】
このように、初期設定を完了すると、テレビジョン放送受信装置１は、ユーザに対して、デジタル放送及びアナログ放送の受信及び再生機能などの機能を利用させることができるようになる。
【００８８】
ここまで説明したように、テレビジョン放送受信装置１の初期設定では、チャンネルスキャン処理を実行しながら同時に消費電力の設定及び無操作電源オフの設定を行うようにした。従って、テレビジョン放送受信装置１は、チャンネルスキャン処理の前後に当該設定を行う場合に比べて、チャンネルスキャン処理と当該設定が完了するまでの時間を短縮することができ、初期設定が完了するまでの時間を短縮することができる。
【００８９】
かくして、テレビジョン放送受信装置１は、チャンネルスキャン処理の前後に各種機能の設定を行うようにした場合に比べて、一段と早く、ユーザにテレビジョン放送受信装置１の利用を開始させることができる。
【００９０】
（３）初期設定処理手順
次に、テレビジョン放送受信装置１が、初期設定を行うときの処理手順（これを初期設定処理手順とも呼ぶ）について、図８及び図９に示すフローチャートを用いて詳しく説明する。この初期設定処理手順ＲＴ１は、テレビジョン放送受信装置１のＨｏｓｔマイコン２が、図示しない内蔵メモリまたは不揮発性メモリ４から読み出したプログラムに従って実行する処理の手順である。
【００９１】
テレビジョン放送受信装置１のＨｏｓｔマイコン２は、テレビジョン放送受信装置１の初期設定がまだ行われていない状態で、当該装置の電源が投入されたことを認識すると、初期設定処理手順ＲＴ１を開始して、ステップＳＰ１に移る。ステップＳＰ１においてＨｏｓｔマイコン２は、ディスプレイ１２に初期設定開始画面を表示させる。そして、Ｈｏｓｔマイコン２は、リモコンＲＭの操作を介して、ステップＳＰ２に移る。
【００９２】
ステップＳＰ２において、Ｈｏｓｔマイコン２は、アナログ放送のチャンネル登録開始画面で、ユーザ操作により「アナログ放送のチャンネル登録を行う」が選択されたかどうかにより、アナログ放送のチャンネル登録を行うかどうかを判別する。
【００９３】
ここで、ユーザ操作により「アナログ放送のチャンネル登録を行う」が選択されて、アナログ放送のチャンネル登録を行うことにより、ステップＳＰ２で肯定結果を得ると、Ｈｏｓｔマイコン２は、ステップＳＰ３に移る。
【００９４】
ステップＳＰ３において、Ｈｏｓｔマイコン２は、チャンネルスキャン処理、またはオート処理により、アナログ放送のチャンネル登録を行って、ステップＳＰ４に移る。これにより、テレビジョン放送受信装置１では、登録されたアナログ放送チャンネルの受信及び再生が可能となる。
【００９５】
一方、ユーザ操作により、「アナログ放送のチャンネル登録を行わない」が選択されて、ステップＳＰ２で否定結果を得ると、Ｈｏｓｔマイコン２は、アナログ放送のチャンネル登録を行わず、ステップＳＰ４に移る。
【００９６】
ステップＳＰ４において、Ｈｏｓｔマイコン２は、ディスプレイ１２にデジタル放送のチャンネル登録開始画面を表示させて、ステップＳＰ５に移る。
【００９７】
ステップＳＰ５において、Ｈｏｓｔマイコン２は、デジタル放送のチャンネル登録開始画面で、リモコンＲＭの操作を介して「デジタル放送を視聴する」が選択されたかどうかを判別する。
【００９８】
ここで、ユーザ操作により、リモコンＲＭの操作を介して「デジタル放送を視聴する」が選択されることにより、ステップＳＰ５で肯定結果を得ると、このとき、Ｈｏｓｔマイコン２は、ステップＳＰ６に移る。
【００９９】
ステップＳＰ６において、Ｈｏｓｔマイコン２は、ディスプレイ１２にデジタル放送の地域設定画面３０を表示させる。そして、Ｈｏｓｔマイコン２は、ユーザにリモコンＲＭの操作を介して選択された地域をデジタル放送の地域として設定し、ステップＳＰ７に移る。
【０１００】
ステップＳＰ７において、Ｈｏｓｔマイコン２は、ディスプレイ１２に地上デジタル放送のチャンネル登録開始画面を表示させて、ステップＳＰ８に移る。
【０１０１】
ステップＳＰ８において、Ｈｏｓｔマイコン２は、地上デジタル放送のチャンネル登録開始画面で、リモコンＲＭの操作を介して「地上デジタル放送のチャンネル登録を行う」が選択されたかどうかを判別する。
【０１０２】
ここで、ユーザ操作により、リモコンＲＭの操作を介して「地上デジタル放送のチャンネル登録を行う」が選択されることにより、ステップＳＰ８で肯定結果を得ると、このとき、Ｈｏｓｔマイコン２は、ステップＳＰ９に移る。
【０１０３】
ステップＳＰ９において、Ｈｏｓｔマイコン２は、デジタル放送の地域設定画面３０において設定された地域が「スキャン必須地域」であるかどうかを判別する。
【０１０４】
ここで、デジタル放送の地域設定画面３０において設定された地域が「スキャン必須地域」ではないことにより、ステップＳＰ９で否定結果を得ると、Ｈｏｓｔマイコン２は、ステップＳＰ１０に移る。
【０１０５】
ステップＳＰ１０において、Ｈｏｓｔマイコン２は、ディスプレイ１２にユーザにチャンネル登録を「スキャン」「オート」のどちらの方法で行うかを選択させる、地上デジタル放送のチャンネル登録方法選択画面を表示させて、ステップＳＰ１１に移る。
【０１０６】
ステップＳＰ１１において、Ｈｏｓｔマイコン２は、地上デジタル放送のチャンネル登録方法選択画面で、リモコンＲＭの操作を介して「スキャン」が選択されたかどうかを判別する。
【０１０７】
ここで、リモコンＲＭの操作を介して「スキャン」が選択されることにより、ステップＳＰ１１で肯定結果を得ると、Ｈｏｓｔマイコン２は、ステップＳＰ１２に移る。
【０１０８】
一方、デジタル放送の地域設定画面３０において設定された地域が「スキャン必須地域」であることにより、ステップＳＰ９で肯定結果を得ると、このことは、当該装置の設置地域ではチャンネル登録時に「オート」の手法を利用できないということを意味している。この場合、チャンネル登録は自動的に「スキャン」の手法を利用して行われるため、このときＨｏｓｔマイコン２は、地上デジタル放送のチャンネル登録方法選択画面を表示させず、ステップＳＰ１２に移る。
【０１０９】
ステップＳＰ９で肯定結果が得られたとき、またはステップＳＰ１１が完了すると、ステップＳＰ１２において、Ｈｏｓｔマイコン２は、ディスプレイ１２にチャンネルスキャン処理開始画面３１を表示させ、所定時間経過した後、地上デジタル放送のチャンネルスキャン処理を開始するとともにステップＳＰ１３に移る。
【０１１０】
ステップＳＰ１３において、Ｈｏｓｔマイコン２は、消費電力設定画面４１を表示させ、消費電力の設定を開始する。そして、Ｈｏｓｔマイコン２は、バックグラウンドでチャンネルスキャン処理を実行しながら、リモコンＲＭの操作に応じて消費電力の設定を行い、ステップＳＰ１４に移る。
【０１１１】
ステップＳＰ１４において、Ｈｏｓｔマイコン２は、無操作電源オフ設定画面５１を表示させ、無操作電源オフの設定を開始する。そして、Ｈｏｓｔマイコン２は、バックグラウンドでチャンネルスキャン処理を実行しながら、リモコンＲＭの操作に応じて無操作電源オフの設定を行って、ステップＳＰ１５に移る。
【０１１２】
このように、テレビジョン放送受信装置１は、地上デジタル放送のチャンネルスキャン処理と並行して消費電力の設定及び無操作電源オフの設定を行う。
【０１１３】
従って、テレビジョン放送受信装置１は、チャンネルスキャン処理の前後に、消費電力の設定及び無操作電源オフの設定を行う場合に比べて、当該設定とチャンネルスキャン処理の両方が完了するまでの時間を短縮することができる。
【０１１４】
ステップＳＰ１５において、Ｈｏｓｔマイコン２は、地上デジタル放送のチャンネルスキャン処理が完了しているかどうかを判別する。
【０１１５】
ここで、地上デジタル放送のチャンネルスキャン処理が実行中であり、まだ完了していないことにより、ステップＳＰ１５で否定結果を得ると、Ｈｏｓｔマイコン２は、ステップＳＰ１６に移る。
【０１１６】
ステップＳＰ１６において、Ｈｏｓｔマイコン２は、ディスプレイ１２に、チャンネルスキャン処理画面６１を表示させる。そして、Ｈｏｓｔマイコン２は、地上デジタル放送のチャンネルスキャン処理が完了し、デジタル放送チャンネルデータベースに放送チャンネルの登録を完了させると、ステップＳＰ１７に移る。
【０１１７】
一方、地上デジタル放送のチャンネルスキャン処理が完了していることにより、ステップＳＰ１５で肯定結果を得ると、Ｈｏｓｔマイコン２は、チャンネルスキャン処理画面６１を表示させず、ステップＳＰ１７に移る。
【０１１８】
ステップＳＰ１７において、Ｈｏｓｔマイコン２は、ディスプレイ１２に、地上デジタル放送のチャンネル登録結果画面７１を表示させる。これにより、ユーザに、テレビジョン放送受信装置１で視聴可能となった地上デジタル放送のチャンネルを閲覧させることができる。そして、Ｈｏｓｔマイコン２は、リモコンＲＭの操作に応じて、ステップＳＰ２２に移る。
【０１１９】
一方、地上デジタル放送のチャンネル登録方法選択画面において、リモコンＲＭの操作を介して「オート」が選択されることにより、「スキャン」が選択されず、ステップＳＰ１１で否定結果を得ると、Ｈｏｓｔマイコン２は、ステップＳＰ１８に移る。
【０１２０】
ステップＳＰ１８において、Ｈｏｓｔマイコン２は、オート処理を実行する。すなわち、Ｈｏｓｔマイコン２は、デジタル放送の地域設定画面において設定された地域に基づいて、デジタル放送チャンネルデータベースに放送チャンネルの登録を行い、ステップＳＰ１９に移る。
【０１２１】
ステップＳＰ１９において、Ｈｏｓｔマイコン２は、ディスプレイ１２に地上デジタル放送の放送チャンネル登録結果画面７１を表示させる。そして、Ｈｏｓｔマイコン２は、リモコンＲＭの操作に応じて、ステップＳＰ２０に移る。
【０１２２】
ステップＳＰ２０において、Ｈｏｓｔマイコン２は、リモコンＲＭの操作に応じて、消費電力の設定を行って、ステップＳＰ２１に移る。
【０１２３】
ステップＳＰ２１において、Ｈｏｓｔマイコン２は、リモコンＲＭの操作に応じて、無操作電源オフの設定を行って、ステップＳＰ２２に移る。
【０１２４】
ところで、ユーザ操作により、リモコンＲＭの操作を介して「地上デジタル放送のチャンネル登録を行わない」が選択され、ステップＳＰ８で否定結果を得た場合、Ｈｏｓｔマイコン２は、地上デジタル放送のチャンネル登録を行わず、ステップＳＰ２２に移る。
【０１２５】
ステップＳＰ８で否定結果が得られたとき、もしくは、ステップＳＰ１７またはステップＳＰ２１が完了すると、ステップＳＰ２２において、Ｈｏｓｔマイコン２は、ディスプレイ１２に、衛星アンテナレベル確認画面を表示させる。そして、Ｈｏｓｔマイコン２は、リモコンＲＭの操作に応じて、ステップＳＰ２３に移る。
【０１２６】
ステップＳＰ２３において、Ｈｏｓｔマイコン２は、リモコンＲＭの操作に応じて、データ放送の郵便番号設定を行ってステップＳＰ２４に移る。
【０１２７】
ところで、ユーザ操作により、「デジタル放送を視聴しない」が選択されて、ステップＳＰ５で否定結果を得た場合、Ｈｏｓｔマイコン２は、地上デジタル放送のチャンネル登録や衛星アンテナレベル確認などを行わず、ステップＳＰ２４に移る。
【０１２８】
ステップＳＰ５で否定結果が得られたとき、またはステップＳＰ２３が完了すると、ステップＳＰ２４において、Ｈｏｓｔマイコン２は、ディスプレイ１２に、初期設定完了画面を表示させ、リモコンＲＭの操作に応じて、初期設定処理手順ＲＴ１を終了する。
【０１２９】
このような初期設定処理手順ＲＴ１に従って、Ｈｏｓｔマイコン２は、初期設定処理を実行する。このような初期設定処理を実行することで、以降、テレビジョン放送受信装置１は、ユーザに対して、アナログ放送及びデジタル放送の受信再生などの機能を利用させることができるようになる。
【０１３０】
（４）動作及び効果
以上の構成において、テレビジョン放送受信装置１のＨｏｓｔマイコン２は、初期設定がまだ行われていない状態で当該装置の電源が投入されたとき、地上デジタル放送のチャンネル登録や各種機能の設定などを行う初期設定を開始する。ちなみに、本実施の形態では、初期設定として行う各種機能の設定として、当該装置の利用開始前に設定を行うことで効果的な設定、例えば消費電力の設定及び無操作電源オフの設定を行うようにした。
【０１３１】
そして、Ｈｏｓｔマイコン２は、地上デジタル放送のチャンネルスキャン処理をバックグラウンドで実行しながら、ディスプレイ１２に各種機能の設定画面を表示させ、ユーザの操作に応じて各種機能の設定を行うようにした。
【０１３２】
こうすることで、テレビジョン放送受信装置１は、例えば消費電力の設定など利用開始前に設定を行うことが望ましい各種機能の設定をチャンネルスキャン処理の前後に行う場合に比べて、早く初期設定を完了させることができる。
【０１３３】
以上の構成によれば、テレビジョン放送受信装置１は、地上デジタル放送のチャンネルスキャン処理とテレビジョン放送受信装置１の各種機能の設定を並行して行うようにした。
【０１３４】
こうすることで、テレビジョン放送受信装置１は、チャンネルスキャン処理の前後に各種機能の設定を行う場合に比べて、チャンネルスキャン処理と各種機能の設定の両方が完了するまでの時間を短縮することができる。
【０１３５】
かくして、テレビジョン放送受信装置１は、従来と比して、一段と早く、ユーザにテレビジョン放送受信装置１の利用を開始させることができる。
【０１３６】
（５）他の実施の形態
（５−１）他の実施の形態１
尚、上述した実施の形態では、テレビジョン放送受信装置１は、地上デジタル放送のチャンネルスキャン処理と並行して行う各種機能の設定として、消費電力の設定と無操作電源オフの設定を行うようにした。
【０１３７】
本発明はこれに限らず、チャンネルスキャン処理と独立して行える設定であれば、この他種々の設定をチャンネルスキャン処理と並行して行ってもよい。
【０１３８】
例えば、上述した実施の形態でチャンネルスキャン処理の後に行っていたデータ放送の郵便番号設定についても、チャンネルスキャン処理と並行して行ってもよい。こうすることで、テレビジョン放送受信装置１は、チャンネルスキャン処理の後にデータ放送の郵便番号設定を行う場合に比べ、初期設定が完了するまでの時間を短縮できる。
【０１３９】
さらに、テレビジョン放送受信装置１の利用開始後に設定を行うよりも利用開始前に設定を行う方が効果的な設定について、チャンネルスキャン処理と並行して設定を行ってもよい。
【０１４０】
例えば、明るさセンサーの設定を、チャンネルスキャン処理と並行して行ってもよい。明るさセンサーの設定を「入」にすると、テレビジョン放送受信装置１は、当該装置のまわりの明るさに応じて画面に表示する映像の明るさを自動調整するようになされている。この場合、テレビジョン放送受信装置１のまわりの明るさを認識する明るさセンサー（図示せず）が当該装置に設けられているとする。
【０１４１】
また、例えば、無信号時電力調整機能の設定を、チャンネルスキャン処理と並行して行ってもよい。無信号時電力調整機能の設定を「入」にすると、テレビジョン放送受信装置１は、一定時間以上、ディスプレイ１２に画面信号が送られずディスプレイ１２から何も出力されない場合に、自動的に当該装置の消費電力を低減するようになされている。
【０１４２】
さらに、例えば、時刻表示の設定を、チャンネルスキャン処理と並行して行ってもよい。時刻表示の設定を「入」にすると、テレビジョン放送受信装置１は、番組の視聴中、常にディスプレイ１２に時刻を表示させるようになされている。この場合、テレビジョン放送受信装置１には、表示時刻を管理する内蔵時計（図示せず）が設けられているとする。
【０１４３】
さらに、例えば、チャンネル情報表示の設定を、チャンネルスキャン処理と並行して行ってもよい。チャンネル情報表示の設定を「入」にすると、テレビジョン放送受信装置１は、放送チャンネルの選局画面において、各放送チャンネルの番組情報などの情報画面をディスプレイ１２に表示させるようになされている。
【０１４４】
さらに、例えば、ネットワーク接続機能の設定を、チャンネルスキャン処理と並行して行ってもよい。テレビジョン放送受信装置１は、ネットワークに接続して、ユーザ操作によりリモコンＲＭの操作を介して指定されたホームページ画像をディスプレイ１２に表示させるネットワーク接続機能を有している。そして、ネットワーク接続機能には、接続速度の設定など種々の設定項目がある。この場合、テレビジョン放送受信装置１は、ネットワーク端子１９及びネットワークコントローラ２０を介して、ネットワークに接続する。
【０１４５】
さらに、例えば、ＥＰＧ情報の取得機能の設定を、チャンネルスキャン処理と並行して行ってもよい。ＥＰＧ情報取得機能には、テレビジョン放送受信装置１の設置地域にあった電子番組表を表示させるための地域設定や、ＥＰＧ情報を取得する時間的範囲（例えば、２日分取得または１週間分取得のうちから選択させるなど）の設定など、種々の設定項目がある。
【０１４６】
こうすることで、テレビジョン放送受信装置１は、当該装置の利用開始前に設定を行うことが望ましい各種機能を、当該装置の利用開始時からユーザに選択させた設定に基づいて実現することができる。従って、テレビジョン放送受信装置１は、当該装置の利用開始時からユーザに上述したような機能を利用させることで、初期設定中に上述したような機能の設定を行っていなかった場合と比べて、当該装置を一段と便利に利用させることができる。
【０１４７】
また、上述した実施の形態では、地上デジタル放送のチャンネルスキャン処理と並行して行う各種機能の設定として、消費電力の設定及び無操作電源オフの設定の２つの設定を行うようにした。
【０１４８】
本発明はこれに限らず、チャンネルスキャン処理と独立して行うことができる設定であれば、チャンネルスキャン処理と並行していくつでも設定を行うようにしてもよい。
【０１４９】
さらに、上述した実施の形態では、地上デジタル放送のチャンネルスキャン処理と並行して行う各種機能の設定の際、最初に消費電力の設定を行い、次に無操作電源オフの設定を連続して行うようにした。
【０１５０】
本発明はこれに限らず、チャンネルスキャン処理と独立して行うことができる設定であればいくつでも、順番を変えて設定を行うようにしてもよい。
【０１５１】
（５−２）他の実施の形態２
さらに、上述した実施の形態では、テレビジョン放送受信装置１は、地上デジタル放送のチャンネルスキャン処理の開始と同時に各種機能の設定を開始するようにした。
【０１５２】
本発明はこれに限らず、テレビジョン放送受信装置１は、チャンネルスキャン処理開始後、バックグラウンドでチャンネルスキャン処理を実行しながら、ユーザ操作に応じて各種機能の設定を開始させるようにしてもよい。
【０１５３】
具体的に、例えば、テレビジョン放送受信装置１は、地上デジタル放送のチャンネル登録方法選択画面において「スキャン」が選択されたことを認識したら、チャンネルスキャン処理を開始させるとともに、機能設定開始画面（図示せず）を表示させる。この機能設定開始画面では、ユーザに対して、テレビジョン放送受信装置１の各種機能の設定を開始したい場合リモコンＲＭの決定ボタンを押下するよう案内する。そして、テレビジョン放送受信装置１は、リモコンＲＭの決定ボタンが押下されたことを認識したら、各種機能の設定を開始する。
【０１５４】
（５−３）他の実施の形態３
さらに、上述した実施の形態では、チャンネルスキャン処理と並行して行う各種機能の設定がユーザ操作に応じて全て完了した後で、チャンネルスキャン処理により登録された放送チャンネルを表示するようにした。
【０１５５】
本発明はこれに限らず、テレビジョン放送受信装置１は、チャンネルスキャン処理が完了したタイミングで各種機能の設定を中断して、チャンネルスキャン処理により登録された放送チャンネルを表示するようにしてもよい。
【０１５６】
この場合、例えば、各種機能の設定ごとに、テレビジョン放送受信装置１の利用開始前に必ず行うべき設定か、または当該装置の利用開始前に行うことが望ましいが任意で行ってもよい設定かのどちらかがあらかじめ決められているとする。初期設定において、テレビジョン放送受信装置１は、当該装置の利用開始前に必ず行うべき設定から、先に設定を行うようにする。そして、チャンネルスキャン処理が完了したタイミングで、テレビジョン放送受信装置１は、当該装置の利用開始前に必ず行うべき設定を行っていた場合はその設定を継続する。そして、テレビジョン放送受信装置１は、必ず行うべき設定を全て完了した時点で、チャンネルスキャン処理により登録された放送チャンネルを表示させる。しかし、テレビジョン放送受信装置１は、チャンネルスキャン処理が完了したタイミングで、当該装置の利用開始前に任意で行ってもよい設定を行っていた場合は、その設定を中断し、すぐにチャンネルスキャン処理により登録された放送チャンネルを表示させる。
【０１５７】
このように、チャンネルスキャン処理の実行時間以外に各種機能の設定に要する時間をできるだけなくすことにより、テレビジョン放送受信装置１は、さらに早く初期設定を完了させ、ユーザに当該装置の利用を開始させることができる。
【０１５８】
（５−４）他の実施の形態４
さらに、上述した実施の形態では、初期設定として行うことがあらかじめ定められた各種機能の設定をチャンネルスキャン処理と並行して行うようにした。
【０１５９】
本発明はこれに限らず、チャンネルスキャン処理と独立して行うことのできる各種機能の設定を一覧で表示して、チャンネルスキャン処理と並行して行う各種機能の設定をリモコンＲＭの操作を介してユーザに選択させるようにしてもよい。
【０１６０】
この場合、例えば、テレビジョン放送受信装置１は、チャンネルスキャン処理を開始したら、チャンネルスキャン処理と独立して行うことのできる各種機能の設定を案内する設定一覧画面（図示せず）をディスプレイ１２に表示させる。テレビジョン放送受信装置１は、ユーザにリモコンＲＭの操作を介してチャンネルスキャン処理と並行して行う設定を選択させて、その設定画面（図示せず）をディスプレイ１２に表示させる。そして、テレビジョン放送受信装置１は、リモコンＲＭの操作に応じてその設定が完了したら、再度設定一覧画面を表示させ、ユーザに次に設定を行いたい設定を選択させることができるようになっている。
【０１６１】
こうすることで、テレビジョン放送受信装置１は、当該装置の利用開始時からユーザが選択した設定に基づいて当該装置を動作させることができるため、さらにユーザに当該装置を便利に利用させることができる。
【０１６２】
（５−５）他の実施の形態５
さらに、上述した実施の形態では、テレビジョン放送受信装置１は、初期設定の際に行う地上デジタル放送のチャンネルスキャン処理と並行してテレビジョン放送受信装置１の各種機能の設定を行うようにした場合について述べた。
【０１６３】
本発明はこれに限らず、例えば、地上デジタル放送の受信状況が変わった際に行うチャンネルスキャン処理と並行してテレビジョン放送受信装置１の各種機能の設定を行うようにしてもよい。
【０１６４】
こうすることで、テレビジョン放送受信装置１は、チャンネルスキャン処理の実行中、ユーザに、何も操作させずに待機させるのではなく、各種機能の設定を選択させることにより、チャンネルスキャン処理中の待機時間を有効に利用させることができる。
【０１６５】
（５−６）他の実施の形態６
さらに、上述した実施の形態では、テレビジョン放送受信装置１は、地上デジタル放送のチャンネルスキャン処理と並行して当該装置の各種機能の設定を行うようにした場合について述べた。
【０１６６】
本発明はこれに限らず、地上アナログ放送のチャンネルスキャン処理と並行してテレビジョン放送受信装置１の各種機能の設定を行うようにしてもよい。また、現行の地上デジタル放送や地上アナログ放送に限らず、チャンネルスキャン処理を実行する必要がある放送があれば、その放送のチャンネルスキャン処理の実行中に放送受信装置の機能の設定を行うようにしてもよい。
【０１６７】
（５−７）他の実施の形態７
さらに、上述した実施の形態では、地上アナログ放送及び地上デジタル放送に対応するテレビジョン放送受信装置１に本発明を適用するようにした場合について述べた。
【０１６８】
本発明はこれに限らず、地上デジタル放送のみに対応する放送受信装置に本発明を適用するようにしてもよい。また、現行の地上デジタル放送に限らず、チャンネルスキャン処理を実行する必要がある放送であれば、この他種々の放送に対応する放送受信装置に本発明を適用するようにしてもよい。
【０１６９】
（５−８）他の実施の形態８
さらに、上述した実施の形態では、初期設定処理手順ＲＴ１を実行するためのプログラムを、図示しない内蔵メモリまたは不揮発性メモリ４にあらかじめ記憶しておくようにした。
【０１７０】
本発明はこれに限らず、このプログラムを、テレビジョン放送受信装置１が、例えばネットワークコントローラ２０、ネットワーク端子１９を介して、ネットワーク上のサーバからダウンロードして、図示しない内蔵メモリまたは不揮発性メモリ４にインストールするようにしてもよい。
【０１７１】
またこれに限らず、このプログラムを光ディスクなどの記録媒体に記録しておき、テレビジョン放送受信装置１がこのプログラムを記録媒体から読み出して、図示しない内蔵メモリまたは不揮発性メモリ４にインストールするようにしてもよい。
【０１７２】
この場合、テレビジョン放送受信装置１には、別途、記録媒体からプログラムを読み出し可能なメディアドライブが外部接続されているとする。
【０１７３】
（５−９）他の実施の形態９
さらに、上述した実施の形態では、放送受信装置としてのテレビジョン放送受信装置１に、チャンネルスキャン処理実行部としてのデジタルチューナ８と、チャンネルスキャン処理実行部、機能設定部、制御部としてのＨｏｓｔマイコン２を設けるようにした。
【０１７４】
本発明はこれに限らず、同様の機能を有していれば、これらを他の種々のハードウェアに置き換えてもよい。例えば、チャンネルスキャン処理実行部、機能設定部、制御部のそれぞれを個別のハードウェアまたはソフトウェアで実現するようにしてもよい。
【０１７５】
（５−１０）他の実施の形態１０
さらに、本発明は、上述した実施の形態とここまで説明した他の実施の形態１乃至９とに限定されるものではない。すなわち本発明は、上述した実施の形態とここまで説明した他の実施の形態１乃至９の一部または全部を任意に組み合わせた形態、もしくは一部を抽出した形態も適用範囲とする。
【０１７６】
例えば、上述した実施の形態と、他の実施の形態４と５を組み合わせてもよい。この場合、テレビジョン放送受信装置１は、初期設定中に限らず、チャンネルスキャン処理と並行して、ユーザが希望する設定をユーザに選択させながら、各種機能の設定を行うことができる。従って、テレビジョン放送受信装置１は、初期設定中に限らず、ユーザにチャンネルスキャン処理中の待機時間を有効に利用させることができる。
【産業上の利用可能性】
【０１７７】
本発明は、例えば、地上デジタル放送に対応するテレビジョン放送受信装置で広く有効利用することができる。
【図面の簡単な説明】
【０１７８】
【図１】テレビジョン放送受信装置の回路構成を示すブロック図である。
【図２】地域設定画面の構成を示す略線図である。
【図３】チャンネルスキャン開始画面の構成を示す略線図である。
【図４】消費電力設定画面の構成を示す略線図である。
【図５】無操作電源オフ設定画面の構成を示す略線図である。
【図６】チャンネルスキャン処理画面の構成を示す略線図である。
【図７】チャンネル登録結果画面の構成を示す略線図である。
【図８】初期設定処理手順（１）を示すフローチャートである。
【図９】初期設定処理手順（２）を示すフローチャートである。
【符号の説明】
【０１７９】
１……テレビジョン放送受信装置、２……Ｈｏｓｔマイコン、４……不揮発性メモリ、８……デジタルチューナ、９……デマルチプレクサ、１２……ディスプレイ、１５……アナログチューナ、２１……ＲＡＭ、３１……チャンネルスキャン開始画面、４１……消費電力設定画面、４２、５２……チャンネルスキャン処理経過表示領域、４３、５３……機能設定表示領域、５１……無操作電源オフ設定画面、６１……チャンネルスキャン処理画面、７１……チャンネル登録結果画面。
【図１】
2010062996.tif 000003
【図２】
2010062996.tif 000004
【図３】
2010062996.tif 000005
【図４】
2010062996.tif 000006
【図５】
2010062996.tif 000007
【図６】
2010062996.tif 000008
【図７】
2010062996.tif 000009
【図８】
2010062996.tif 000010
【図９】
2010062996.tif 000011